(57)【要約】【課題】この考案は防塵機能付きのテーブルタップに係り、更に詳細に述べれば栓刃挿入口にプラグの栓刃が挿入されていない所謂非使用時に前記栓刃挿入口をケースの内側から塞ぐ状態で復元型の塵埃進入防止板を設けたテーブルタップと塵埃進入防止板に関するものである。【解決手段】上部ケース１に設けた取り付け孔１１，１２に嵌合する頂部３１側に少なくとも２個の栓刃挿入口３４を開口した器状の栓刃案内部材３と、前記栓刃案内部材３の縁部３５上に重合し前記栓刃案内部材３と下部ケース２との間に挟着し一対の刃受けばね８を両ケース１．２内で支持する第一の支持駒６と、前記栓刃案内部材３と支持駒６との間に形成した間隙部Ｇ内に前記栓刃案内部材３の内面と前記支持駒６の中央部から突出した押し付け片６５との間で中央の肉厚部５１を挟持した塵埃進入防止板を介在させ前記栓刃挿入口３４を栓刃Ｎの非挿入時内側から塞ぐことでケース内に塵埃の進入を防止するように構成したことを特徴とするテーブルタップ。【選択図】図１
0003097881.tif 000002
【実用新案登録請求の範囲】
【請求項１】
上部ケース１に設けた取り付け孔１１，１２に嵌合する頂部３１側に少なくとも２個の栓刃挿入口３４を開口した器状の第一の栓刃案内部材３と、前記栓刃案内部材３の縁部３５上に重合し前記栓刃案内部材３と下部ケース２との間に挟着し一対の刃受けばね８を両ケース１，２内で支持する第一の支持駒６と、前記栓刃案内部材３と前記第一の支持駒６との間に形成した間隙部Ｇ内に前記栓刃案内部材３の内面と前記第一の支持駒６の中央部から突出した押し付け片６５との間で中央の肉厚部５１を挟持した塵埃進入防止板５を介在させ前記栓刃挿入口３４を栓刃Ｎの非挿入時内側から塞ぐことでケース１，２内に塵埃の進入を防止するように構成したことを特徴とするテーブルタップ。
【請求項２】
上部および下部ケース１，２の電源コード導出口１４，２２側とは反対側の端板１５，２３に設けた二つの切り欠１６，２４で形成した取り付け孔に嵌合した頂部４１側に少なくとも２個の栓刃挿入口４４が開口した器状の第二の栓刃案内部材４と、前記第二の栓刃案内部材４の縁部４５に当接し前記第二の栓刃案内部材４と前記上部および下部ケース１，２の双方内に突設させたねじ止め用のボス１７，１８と２５，２６との間に挟着し一対の刃受けばね８を両ケース１，２内で支持する第二の支持駒と７、前記第二の栓刃案内部材４と第二の支持駒７との間に形成した間隙部Ｇ内に前記第二の栓刃案内部材４の内面と前記第二の支持駒７の中央部から突出した押し付け片７６との間で中央の肉厚部５１を挟持した塵埃進入防止板５を介在させ前記栓刃挿入口４４を栓刃Ｎの非挿入時内側から塞ぐことでケース１，２内に塵埃の進入を防止するように構成したことを特徴とするテーブルタップ。
【請求項３】
上部ケース１に設けた取り付け孔１１，１２に嵌合する頂部３１側に少なくとも２個の栓刃挿入口３４を開口した器状の第一の栓刃案内部材３と、前記栓刃案内部材３の縁部３５上に重合し前記栓刃案内部材３と下部ケース２との間に挟着し一対の刃受けばね８を両ケース１，２内で支持する第一の支持駒６と、前記栓刃案内部材３と前記第一の支持駒６との間に形成した間隙部Ｇ内に前記栓刃案内部材３の内面と前記第一の支持駒６の中央部から突出した押し付け片６６との間で中央の肉厚部５１を挟持した塵埃進入防止板５を介在させ前記栓刃挿入口３４を栓刃Ｎの非挿入時内側から塞ぐと共に、上部および下部ケース１，２のコード導出口１４，２２側とは反対側の端板１５，２３に設けた二つの切り欠１６，２４で形成した取り付け孔に嵌合した頂部４１側に少なくとも２個の栓刃挿入口４４が開口した器状の第二の栓刃案内部材４と、前記第二の栓刃案内部材４の縁部４５に当接し前記第二の栓刃案内部材４と前記上部および下部ケース１，２の双方内に突設させたねじ止め用のボス１７，１８と２５，２６との間に挟着し一対の刃受けばね８を両ケース１，２内で支持する第二の支持駒と７、前記第二の栓刃案内部材４と第二の支持駒７との間に形成した間隙部Ｇ内に前記第二の栓刃案内部材４の内面と前記第二の支持駒７の中央部から突出した押し付け片７６との間で中央の肉厚部５１を挟持した塵埃進入防止板５を介在させ前記栓刃挿入口４４を栓刃Ｎの非挿入時内側から塞ぐことでケース内に塵埃の進入を防止するように構成したことを特徴とするテーブルタップ。
【請求項４】
塵埃進入防止板５は、器状の第一および第二の栓刃案内部材３，４の窪み３３，４３内に挿着し得る幅でかつ並行に開けた少なくとも２個の栓刃挿入口３４，４４を塞ぐに十分な長さの矩形体で、一面は略平坦で他面にはその中央部に前記２個の栓刃挿入口３４，４４の間隔より若干幅狭の肉厚部５１を形成し、この肉厚部５１の中央に第一および第二の栓刃案内部材３，４に立設したダボ３９，４９が挿入して位置決めを行うダボ孔５２を開け、前記肉厚部５１から前記矩形体の端縁５３，５４までの肉薄部５５，５６で前記肉厚部５１から前記端縁５３，５４より一寸手前までの間を肉薄にする溝５７を設け前記他面側に湾曲し易くした構成であることを特徴とする請求項１，２および３記載のテーブルタップ。
【請求項５】
器状の第一および第二の栓刃案内部材３，４の窪み３３，４３内に挿着し得る幅でかつ並行に開けた少なくとも２個の栓刃挿入口３４，４４を塞ぐに十分な長さの矩形体で、一面は略平坦で他面にはその中央部に前記２個の栓刃挿入口３４，４４の間隔より若干幅狭の肉厚部５１を形成し、この肉厚部５１の中央に第一および第二の栓刃案内部材３，４に立設したダボ３９，４９が挿入して位置決めを行うダボ孔５２を開け、前記肉厚部５１から前記矩形体の端縁５３，５４での肉薄部５５，５６で前記肉厚部５１から前記端縁５３，５４より一寸手前までの間それらの両端から漸次肉薄になる逆梯形状の溝５７を設け前記他面側に湾曲した後の復元性を良くした構成であることを特徴とする塵埃進入防止板。
【請求項６】
第一および第二の支持駒６，７は、断面が略凹字状をなす二つの凸部６１，７１とこれらを連接する底板６２，７２内を空洞６３，７３とし、前記二つの凸部６１，７１の頂面にそれぞれ前記空洞６３，７３に開口する栓刃突き抜け口６４，７４を、前記凸部６１，７１の側面には同様に前記空洞６３，７３内に開口し後述する刃受けばね８を挿通する一対のスリット６５，７５を設け、前記底板６２，７２の裏面で双方の凸部６１，７１の中間に位置する箇所にこの支持支持駒６，７の底板６２，７２を第一の栓刃案内部材３，４の縁部３５，４５上に重ね合わせた際に生じる間隙部Ｇ内に配設した塵埃進入防止板５を挟持し得る高さの押し付け片６６，７６を突出させると共に前記底板６２，７２の各隅部にダボ孔６７，７７を設けた構成であることを特徴とする請求項１，２および３記載のテーブルタップ。
【考案の詳細な説明】
【考案の属する技術分野】
【０００１】
この考案は防塵機能付きのテーブルタップに係り、更に詳細に述べれば栓刃挿入口にプラグの栓刃が挿入されていない所謂非使用時に前記栓刃挿入口をケースの内側から塞ぐ状態復元型の塵埃進入防止板を設けたテーブルタップと塵埃進入防止板に関するものである。
【従来の技術】
【０００２】
特に栓刃挿入口が上を向くようにして使用する機会の多いテーブルタップやコンセントでは、前記栓刃挿入口にプラグの栓刃が挿入されていない所謂非使用時に前記栓刃挿入口からケース内部に塵埃が入ったり異物が侵入するのを防ぐために、従来特許文献１に記載されているテーブルタップ本体（ケース）に紐状の接続部を介して前記栓刃挿入口を塞ぐカバーを設けたものや、テーブルタップやコンセントの栓刃挿入口を覆う板状部材の一面に前記栓刃挿入口に挿入可能な栓刃を取り付けた絶縁性の栓刃挿入口封止具が用いられている。
しかしこれらは人手を介して前記栓刃挿入口に取り付けたり前記栓刃挿入口から取り外したりしなければならず使用後に栓刃挿入口に取り付けるのを忘れてしまったら前記栓刃挿入口は開放状態になってしまい塵埃等の侵入を防ぎ得ない。また、前者のものは紐状の接続部が切れてしまえば後者のものと同様にテーブルタップ本体（ケース）とは遊離状態になるので紛失しやすくなる。
【０００３】
また、栓刃挿入口からケース内への塵埃等の侵入を防止するために特許文献２に記載されているように、Ｕ状折り曲げ部と連続して上方に立ち上がる一方の側板先端部に係止板を設けると共に、他方の側板先端部を略水平に折り曲げて栓刃挿入口を塞ぐ閉塞板を設けた弾性を有する合成樹脂製の一対の防塵カバーを、ケース内に設けた端子収納室の長手方向両側縁部に形成した防塵カバー収納室内に収納し、前記防塵カバーに設けた閉塞板によりプラグ差込口から端子収納室内に塵埃等が侵入するのを防止するものがある。
しかし、この場合ケース内に防塵カバーを収納するための収納室を栓刃挿入口奥の左右に１個づつ設けなければならずこのためにケースの幅方向の寸法を大きくしてしまうと共に、均一厚のシート部材を折り曲げた構成では栓刃挿入口を塞ぐための圧力が大きくないために塵埃の侵入阻止効果があまり期待できない。
【特許文献１】特開２００３−３１２９７号公報
【特許文献２】特開平９―２４５８７９号公報
【考案が解決しようとする課題】
【０００４】
前述したように従来の技術である前者の栓刃挿入口を外側から塞ぐと言う構成では、栓刃挿入口封止具の紛失や被せ忘れが生じ、また後者の栓刃挿入口を内側から塞ぐと言う構成では、ケースの大型化や栓刃挿入口を内側から塞ぐための構成に機構的な問題がある。
【課題を解決するための手段】
【０００５】
前記課題は、上部ケースに設けた取り付け孔に嵌着した頂部側にすくなくとも２個の栓刃挿入口が開口する器状の栓刃案内部材と、前記栓刃案内部材の縁部上に重合し前記栓刃案内部材と下部ケースとの間で挟着した一対の刃受けばねを両ケース内で支持する第一の支持駒と、前記栓刃案内部材と支持駒との間に形成した間隙部内に前記栓刃案内部材の内面と前記支持駒の中央部から突出した押し付け片との間で中央の肉厚部を挟持した塵埃進入防止板を介在させると共に、上部および下部ケースの電源コード取り付け側とは反対側の端板に設けた二つの切り欠けで形成した取り付け孔に嵌着した頂部側に少なくとも２個の栓刃挿入口を有する器状の栓刃案内部材と、前記栓刃案内部材の縁部と当接し前記栓刃案内部材と前記上部および下部ケースの双方内に突設させたねじ止め用のボスとの間で挟着し一対の刃受けばねを両ケース内で支持する第二の支持駒と、前記栓刃案内部材と支持駒との間に形成した間隙部内に前記栓刃案内部材の内面と前記支持駒の中央部から若干突出した押し付け片との間で中央肉厚部を挟持した塵埃進入防止板を介在させ前記栓刃挿入口を栓刃の非挿入時内側から塞ぐことでケース内に塵埃の進入を防止するように構成すると共に、塵埃進入防止板を器状の栓刃案内部材の凹所内に挿着し得る幅でかつ並行に開けた少なくとも２個の栓刃挿入口を塞ぐに十分な長さの矩形体で、一面は略平坦で他面にはその中央部に前記２個の栓刃挿入口間隔より若干幅狭の肉厚部を形成し、この肉厚部から前記矩形体の端縁までの肉薄部で前記肉厚部から前記端縁より一寸手前までの間それらの両端から漸次肉薄になる逆梯形状の溝を設け前記他面側に湾曲した構成とすることで解決できる。
【考案の実施の形態】
【実施例】
【０００６】
この考案のテーブルタップは、図１に示すように上部ケース１、下部ケース２、第一および第二の栓刃案内部材３，４、塵埃進入防止板５、第一および第二の支持駒６，７、刃受けばね８およびコードユニット９とで構成する。
合成樹脂材料を射出成型した船形状の上部ケース１は、図１および図２に示すように、頂部に２個の取り付け孔１１，１２を所定の間隔を設けて開口し、一方の端部は端縁に向かって絞られて細り端縁より若干内側に溝１３を設けたコード導出口１４が、他方の端板１５には前記取り付け孔１１，１２を横に半分にした形状の切り欠１６がそれぞれ開口し、また内部に下部ケース２側のボスと対向する位置にねじ穴を有するボス１７，１８と一対の位置決め突起１９を立設した構成である。
【０００７】
同様に合成樹脂材料を射出成型した船形状の下部ケース２は、図１および図３に示すように一方の端部は端縁に向かって絞られて細り端縁より若干内側に溝２１設けたコード導出口２２が、他方の端板２３に前記取り付け孔１１，１２を横に半分にした形状の切り欠２４がそれぞれ開口し、また内部には両ケースを固定するための止めねじ１０が挿通する通孔の開いたボス２５，２６と位置決め用の一対の桟２７と突起２８を設けた構成である。
【０００８】
合成樹脂材料を射出成型した第一の栓刃案内部材３は、図１および図４に示すように一面側には前記取り付け孔１１，１２に嵌入し得る形状の俵状の頂部３１とこの頂部３１から前記ケース１の板厚だけ下方に前記頂面のケースからの表出量を規制する外側に若干張り出すように段部３２を設け、他面側は窪み３３をもって器状とし、図４および図６に示すように少なくとも２個（アース栓刃用として３個の場合もある）の栓刃挿入口３４が全記頂部３１から窪み３３内に貫通し、矩形の縁部３５の各隅部には組立位置を規制するためのノブ３６をそれぞれ立設し、長尺側の一方の側面にはボス１６を避けると共に位置決め用の抉り溝３７と、底面３８の中央部に後述する塵埃進入防止板５の取り付け位置を規制するための一対のダボ３９を立設した構成である。
【０００９】
合成樹脂材料を射出成型した第二の栓刃案内部材４は、図１および図７に示すように一面側には前記取り付け孔１１，１２に嵌入し得る形状の頂部４１とこの頂部から前記ケース１の板厚だけ下方に前記頂部のケースからの表出量を規制する段部４２を設け、他面側は窪み４３をもって器状とし、図７〜図９に示すように少なくとも２個（アース栓刃用として３個の場合もある）の栓刃挿入口４４が全記頂部４１から窪み４３内に貫通し、矩形の縁部４５の各隅部に組立位置を規制するための４本のノブ４６を立設し、底面４８の中央には後述する塵埃進入防止板５の取り付け位置決め用の一対の桟４７とダボ４９を設けた構成である。
【００１０】
シリコン樹脂等の耐摩耗耐熱性樹脂材料で作られた塵埃進入防止板５は、図１０に示すように前記した器状の第一および第二の栓刃案内部材３，４の窪み３３，４３内に配設し得る幅でかつ並行に開けた少なくとも２個の栓刃挿入口３３，４３を塞ぐに十分な長さの矩形体で、一面は略平坦で他面にはその中央部に前記２個の栓刃挿入口間隔より若干幅狭の略方形の肉厚部５１を形成し、この肉厚部５１の中央部には位置決め用の一対のダボ孔５２が開けてあり前記肉厚部５１から前記矩形体の端縁５３，５４までの肉薄部５５，５６には前記肉厚部から前記端縁の一寸手前までの間その両端から漸次肉薄となり中央部分で前記肉薄部５５，５６の肉厚の略半分程度の肉厚に至る略逆梯形状の溝５７を設け、前記端縁部分は一面側から他面側に弧面を呈するように面取りし、一面側に加わった外力で肉薄部５５，５６が他面側に湾曲した後前記外力が無く成った際復元し易く構成してある。
【００１１】
第一の支持支持駒６は、図１１〜１３に示すように断面が略凹字状をなす二つの凸部６１とこれらを連接する底板６２内を空洞６３とし、前記二つの凸部６１の頂面にそれぞれ前記空洞６３に開口する栓刃突き抜け口６４を、前記凸部６１の側面には同様に前記空洞６３内に開口し後述する刃受けばね８を挿通する一対のスリット６５を設け、前記底板６２の裏面で双方の凸部６１の中間に位置する箇所にこの支持支持駒６の底板６２を第一の栓刃案内部材３の縁部３５上に重ね合わせた際に生じる間隙部Ｇ内に配設した塵埃進入防止板５を挟持し得る高さの押し付け片６６を突出させると共に前記底板６２の各隅部にダボ孔６７をそれぞれ設けた構成である。
【００１２】
第二の支持支持駒７は、図１４〜１６に示すように断面が略凹字状をなし、内部に空洞７１を設け底板７２で連接した二つの凸部７３の頂面にそれぞれ前記空洞７１に開口する栓刃突き抜け口７４を、前記凸部７３の側面には同様に前記空洞６１に開口し刃受けばねを挿通する一対のスリット７５を設け、前記底板７２の裏面で両凸部７３の中間に位置する箇所にこの支持支持駒７の底板７２を第二の栓刃案内部材４の縁部４５に当接した際に生じる間隙部Ｇ内配設した塵埃進入防止板５を挟持し得る第一の支持支持駒６の押し付け片６９の高さの約三分の一程度の高さの押し付け片７６を突出させると共に前記底板７２の各隅部にダボ孔７７をそれぞれ設けた構成である。
【００１３】
刃受けばね８は、図１７に示すように導電性金属材料である銅またはその合金からなるフープ材８１をプレス成型により、その長さ方向の略中央部分に前記取り付け孔１１，１２の開孔位地間隔を設けて前記フープ材８１の幅を三等分する箇所に栓刃幅の２倍弱の長さで接触面積を増加させるために２本のクランク状のスリットを設けると共に前記スリットの両端で上下２本の細片８２，８４をコ字状になるように外側に折り曲げ、前記２本の細片８２，８４の一面と中央の細片８３の他面との間にプラグＰの栓刃Ｎを材料ならびに構造に伴って生じる弾力に抗して差し込める間隙ｇを設けて栓刃受け端子８５，８６形成し、フープ材８１の一方の端部にはコードを接続するための芯線からめ用の孔８７を形成した接続端子８８を、他方の端部側は栓刃受け端子８６際から外側にやや大きく湾曲させ前記端部に至る手前から前記湾曲方向とは反対方向に小さく湾曲させて接片８９を形成した構成である。
【００１４】
コードユニット９は、図１および１８に示すように平型の被覆コード９１の一端には前記コードの芯線９２と接続する２本の栓刃９３，９４を端面から突出させたプラグ９５を、他端側には被覆を剥離し芯線９２を露出させると共にケース１，２に設けた溝１３，２１内に嵌合する鍔９６を形成した電線保護部９７をそれぞれ取り付けたものである。
【００１５】
この考案のテーブルタップは、組立に当たり先ず図５および８に示すように第一および第二の栓刃案内部材３，４の窪み３３，４３内に塵埃侵入防止板５をその平坦な面を底面３８，４８に向けダボ３９，４９がダボ孔５２に挿入するように配設する。
【００１６】
次に、図２に示すように、この第一の栓刃案内部材３を上部ケース１の内側からその頂部３１が取り付け孔１１，１２から外部に表出するように段部３２で挿入量が規制を受けるまで挿入し、次に第二の栓刃案内部材４を上部ケース１の内側からその頂部４１が端板１５の切り欠１６から表出し段部４２で挿入量が規制を受けるまで挿入する。
【００１７】
この後、図１５〜１８に示すように第一の支持支持駒６の一対のスリット６６内に、接続端子８８の絡め用の孔８７にコードユニット９の芯線９２を通して絡めてから半田付けした２本の刃受けばね８を栓刃受け端子８５，８６が栓刃突き抜け口６４の真下に位置するように差し込み、接片８９は図２１，２２に示すように第二の支持駒７の二つのスルット７５内にそれぞれ差し込む。
【００１８】
図１９〜２１に示すように、刃受けばね８を取り付けた第一の支持駒６を第一の栓刃案内部材３の縁部３５上に、図２２，２３に示すように、刃受けばね８を取り付けた第二の支持駒７を第二の栓刃案内部材４の縁部４５上にそれぞれダボ３９がダボ孔６６に、ダボ４８がダボ孔７６に挿入するように重ね合わせる。
【００１９】
コードユニット９の鍔９６が上下両ケース１，２の溝１３，２１内に、第一の支持駒６が桟２７間に、第二の支持駒７が端板１５，２３と突起１９，２８ならびにボス１６，２４の間にそれぞれ位置するように上部ケース１に下部ケース２を重ねてから、前記ボス２３，２４の通孔を通してボス１５，１６のねじ穴に止めねじ１０を螺入して固定する。この場合第一の支持駒６の一方はその側面に構成した抉り溝３７内にボス１６の周面の一部が当接しケース内での位地決めを補助する。
【００２０】
このように組み立てた一例である３口のテーブルタップは、取り付け孔１１，１２および２組の切り欠１６，２４で端板１５，２３に形成した前記取り付け孔と同じ形状の取り付け孔の位置に配設した２個の第一の栓刃案内部材３と１個の第二の栓刃案内部材４と共に図２４に示すように栓刃挿入口３４または４４にプラグＰの栓刃Ｎが挿入されていない所謂非使用時には、第一および第二の栓刃案内部材３，４の窪み３３または４３内に配設した塵埃進入防止板５が栓刃挿入口３４，４４を下方から塞ぎ、外部から前記栓刃挿入口３４，４４を通して上下ケース１，２内に塵埃や異物が進入するのを阻止する。
【００２１】
また、図２５に示すように、栓刃挿入口３４または４４にプラグＰの栓刃Ｎを挿入すると、栓刃Ｎの先端が塵埃進入防止板５の肉薄部５５，５６に当接してこれに下方へ押し下げようとする外力が加わり、素材の持つ弾発力に前記外力が打ち勝った時点で塵埃進入防止板５は最も薄い溝５７部分でその上面が栓刃Ｎの一面に添うように下方に折れ曲がり栓刃Ｎの挿入を妨げることはない。
前記栓刃Ｎの先端部分が刃受けばね８の接続端子８８を構成する細片８２，８３の一面と細片８４の他面に摺接して電機的に接続する。
【００２２】
次に、プラグＰの栓刃Ｎを栓刃挿入口３４または４４から引き抜くと
先ず前記栓刃Ｎの刃先が接続端子８８を構成する細片８２，８４の一面と細片８３の他面を摺接しつつ外れ、次に塵埃進入防止板５の折れ曲がり部分と栓刃Ｎの一面との摺接関係が外れると塵埃進入防止板５は肉厚部５１と溝５７との間の漸次肉薄部分に蓄えられた圧縮力で前の状態に直ちに復元し塵埃進入防止板５が栓刃挿入口３４，４４を下方から塞ぎ、外部から前記栓刃挿入口３４，４４を通して上下ケース１，２内に塵埃や異物が進入するのを阻止する。
【考案の効果】
【００２３】
この考案は、上部ケース１に設けた取り付け孔１１，１２に嵌合する頂部３１側に少なくとも２個の栓刃挿入口３４を開口した器状の第一の栓刃案内部材３と、前記栓刃案内部材３の縁部３５上に重合し前記栓刃案内部材３と下部ケース２との間に挟着し一対の刃受けばね８を両ケース１，２内で支持する第一の支持駒６と、前記栓刃案内部材３と前記第一の支持駒６との間に形成した間隙部Ｇ内に前記栓刃案内部材３の内面と前記第一の支持駒６の中央部から突出した押し付け片６５との間で中央の肉厚部５１を挟持した塵埃進入防止板５を介在させたので、ケース上部の前記栓刃挿入口３４を栓刃Ｎの非挿入時内側から塞ぎ塵埃や異物の進入を阻止し、塵埃進入防止板５の構成も単純で組立性が良い等の効果がある。
【００２４】
この考案は、上部および下部ケース１，２の電源コード導出口１４，２２側とは反対側の端板１５，２３に設けた二つの切り欠１６，２４で形成した取り付け孔に嵌合した頂部４１側に少なくとも２個の栓刃挿入口４４が開口した器状の第二の栓刃案内部材４と、前記第二の栓刃案内部材４の縁部４５に当接し前記第二の栓刃案内部材４と前記上部および下部ケース１，２の双方内に突設させたねじ止め用のボス１７，１８と２５，２６との間に挟着し一対の刃受けばね８を両ケース１，２内で支持する第二の支持駒と７、前記第二の栓刃案内部材４と第二の支持駒７との間に形成した間隙部Ｇ内に前記第二の栓刃案内部材４の内面と前記第二の支持駒７の中央部から突出した押し付け片７６との間で中央の肉厚部５１を挟持した塵埃進入防止板５を介在させ前記栓刃挿入口４４を栓刃Ｎの非挿入時内側から塞ぐようにこうせいしたので、ケース端面の前記栓刃挿入口４４を栓刃Ｎの非挿入時内側から塞ぎ塵埃や異物の進入を阻止し、塵埃進入防止板５の構成も単純で組立性がよい等の効果がある。
【００２５】
この考案は、上部ケース１に設けた取り付け孔１１，１２に嵌合する頂部３１側に少なくとも２個の栓刃挿入口３４を開口した器状の第一の栓刃案内部材３と、前記栓刃案内部材３の縁部３５上に重合し前記栓刃案内部材３と下部ケース２との間に挟着し一対の刃受けばね８を両ケース１，２内で支持する第一の支持駒６と、前記栓刃案内部材３と前記第一の支持駒６との間に形成した間隙部Ｇ内に前記栓刃案内部材３の内面と前記第一の支持駒６の中央部から突出した押し付け片６６との間で中央の肉厚部５１を挟持した塵埃進入防止板５を介在させ前記栓刃挿入口３４を栓刃Ｎの非挿入時内側から塞ぐと共に、上部および下部ケース１，２のコード導出口１４，２２側とは反対側の端板１５，２３に設けた二つの切り欠１６，２４で形成した取り付け孔に嵌合した頂部４１側に少なくとも２個の栓刃挿入口４４が開口した器状の第二の栓刃案内部材４と、前記第二の栓刃案内部材４の縁部４５に当接し前記第二の栓刃案内部材４と前記上部および下部ケース１，２の双方内に突設したねじ止め用のボス１７，１８と２５，２６との間に挟着し一対の刃受けばね８を両ケース１，２内で支持する第二の支持駒と７、前記第二の栓刃案内部材４と第二の支持駒７との間に形成した間隙部Ｇ内に前記第二の栓刃案内部材４の内面と前記第二の支持駒７の中央部から突出した押し付け片７６との間で中央の肉厚部５１を挟持した塵埃進入防止板５を介在させたので、ケース上部並びに端面の前記栓刃挿入口３４，４４を栓刃Ｎの非挿入時内側から塞ぎ塵埃や異物の進入を阻止し、塵埃進入防止板５の構成も単純で組立性がよい等の効果がある。
【００２６】
この考案は、器状の第一および第二の栓刃案内部材３，４の窪み３３，４３内に挿着し得る幅でかつ並行に開けた少なくとも２個の栓刃挿入口３４，４４を塞ぐに十分な長さの矩形体で、一面は略平坦で他面にはその中央部に前記２個の栓刃挿入口３４，４４の間隔より若干幅狭の肉厚部５１を形成し、この肉厚部５１の中央に第一および第二の栓刃案内部材３，４に立設したダボ３９，４９が挿入して位置決めを行うダボ孔５２を開け、前記肉厚部５１から前記矩形体の端縁５３，５４までの肉薄部５５，５６で前記肉厚部５１から前記端縁５３，５４より一寸手前までの間を肉薄にする溝５７を設けた塵埃進入防止板５を用いるため、前記他面側に湾曲し易く、復元力が大きく組立性が良いと言う効果がある。
【００２７】
この考案の塵埃進入防止板５は、器状の第一および第二の栓刃案内部材３，４の窪み３３，４３内に挿着し得る幅でかつ並行に開けた少なくとも２個の栓刃挿入口３４，４４を塞ぐに十分な長さの矩形体で、一面は略平坦で他面にはその中央部に前記２個の栓刃挿入口３４，４４の間隔より若干幅狭の肉厚部５１を形成し、この肉厚部５１の中央に第一および第二の栓刃案内部材３，４に立設したダボ３９，４９が挿入して位置決めを行うダボ孔５２を開け、前記肉厚部５１から前記矩形体の端縁５３，５４での肉薄部５５，５６で前記肉厚部５１から前記端縁５３，５４より一寸手前までの間それらの両端から漸次肉薄になる逆梯形状の溝５７を設けた塵埃進入防止板５を用いるため、他面側に湾曲した後の復元性が良く、単純な板状なので組立性が良いと言う効果がある。
【００２８】
この考案の、第一および第二の支持駒６，７は、断面が略凹字状をなす二つの凸部６１，７１とこれらを連接する底板６２，７２内を空洞６３，７３とし、前記二つの凸部６１，７１の頂面にそれぞれ前記空洞６３，７３に開口する栓刃突き抜け口６４，７４を、前記凸部６１，７１の側面には同様に前記空洞６３，７３内に開口し後述する刃受けばね８を挿通する一対のスリット６５，７５を設け、前記底板６２，７２の裏面で双方の凸部６１，７１の中間に位置する箇所にこの支持支持駒６，７の底板６２，７２を第一の栓刃案内部材３，４の縁部３５，４５上に重ね合わせた際に生じる間隙部Ｇ内に配設した塵埃進入防止板５を挟持し得る高さの押し付け片６６，７６を突出させると共に前記底板６２，７２の各隅部にダボ孔６７，７７を設けた構成としたので、塵埃進入防止板５の組み込みに当たり作業性が良い等の効果がある。
【図面の簡単な説明】
【図１】この考案のテーブルタップの分解斜視図。
【図２】上部ケースの斜視図。
【図３】下部ケースの斜視図。
【図４】第一の栓刃案内部材の斜視図。
【図５】内部に塵埃進入防止板を取り付けた状態の第一の栓刃案内部材の裏側から見た斜視斜視図。
【図６】図５のＡ−Ａ断線での断面図。
【図７】第二の栓刃案内部材の斜視図。
【図８】内部に塵埃進入防止板を取り付けた状態の第二の栓刃案内部材を裏側から見た斜視斜視図。
【図９】図８のＢ−Ｂ断線での断面図。
【図１０】塵埃進入防止板の斜視図。
【図１１】第一の支持駒の底面図。
【図１２】同じく側面図。
【図１３】図１１のＣ−Ｃ断線での断面図。
【図１４】第二の支持駒の底面図。
【図１５】同じく側面図。
【図１６】図１４のＤ−Ｄ断線での断面。
【図１７】刃受けばねの斜視図。
【図１８】コードウニットの斜視図。
【図１９】第一の支持駒に刃受けばねを取り付けた状態を示す斜視図。
【図２０】第一の支持駒に刃受けばねを取り付けた状態を示す底面図。
【図２１】図２０のＥ−Ｅ断線における断面図。
【図２２】第一の支持駒に刃受けばねを取り付けた状態を示す側面図。
【図２３】図２２のＦ−Ｆ断線における断面図。
【図２４】栓刃案内部材の栓刃挿入口にプラグの栓刃が挿入されていな場合の塵埃進入防止板の状態を示す断面図。
【図２５】栓刃案内部材の栓刃挿入口にプラグの栓刃が挿入された場合の塵埃進入防止板の状態を示す断面図。
【符号の説明】
１：上部ケース
２：下部ケース
３，４：第一および第二の栓刃案内部材
５：塵埃進入防止板
６，７：第一および第二の支持駒
８：刃受けばね
９：コードユニット
１４：コード導出口
１５：端板
１６：切り欠
１７，１８：ボス
２２：コード導出口
２３：端板
２４：切り欠
２５，２６：ボス
３３：窪み
３４：栓刃挿入口
３５：縁部
３９：ダボ
４１：頂部
４２：段部
４３：窪み
４４：栓刃挿入口
４５：縁部
４９：ダボ
５１：肉厚部
５２：ダボ孔
５３，５４：端縁
５５，５６：肉薄部
５７：溝
６１：凸部
６２；底板
６３：空洞
６４：栓刃突き抜け口
６５：スリット
６６：押し付け片
６７：ダボ孔
７１：凸部
７２：底板
７３：空洞
７４：栓刃突き抜け口
７５：スリット
７６：押し付け片
７７：ダボ孔
Ｇ：間隙
【図１】
0003097881.tif 000003
【図２】
0003097881.tif 000004
【図３】
0003097881.tif 000005
【図４】
0003097881.tif 000006
【図５】
0003097881.tif 000007
【図６】
0003097881.tif 000008
【図７】
0003097881.tif 000009
【図８】
0003097881.tif 000010
【図９】
0003097881.tif 000011
【図１０】
0003097881.tif 000012
【図１１】
0003097881.tif 000013
【図１２】
0003097881.tif 000014
【図１３】
0003097881.tif 000015
【図１４】
0003097881.tif 000016
【図１５】
0003097881.tif 000017
【図１６】
0003097881.tif 000018
【図１７】
0003097881.tif 000019
【図１８】
0003097881.tif 000020
【図１９】
0003097881.tif 000021
【図２０】
0003097881.tif 000022
【図２１】
0003097881.tif 000023
【図２２】
0003097881.tif 000024
【図２３】
0003097881.tif 000025
【図２４】
0003097881.tif 000026
【図２５】
0003097881.tif 000027